(57)【要約】【課題】特定波長域に隣接する波長域の光に大きな影響を与えずに、特定波長域の光を低減する。【解決手段】本発光装置は、互いに異なる色の光を発する第１の発光体及び第２の発光体を備える。第１の発光体は、第１の光源と、第１の設定波長よりも長波長側の光をカットする長波長カットフィルタと、を有する。第２の発光体は、第２の光源と、第１の設定波長より長波長側に設定された第２の設定波長よりも短波長側の光をカットする短波長カットフィルタと、を有する。第１の発光体及び第２の発光体の各々から出射された光は、互いに混ざり合って第１の設定波長と第２の設定波長との間の光が低減された光となる。一般的なバンドフィルタよりも特異的に特定波長域の光を低減する長波長カットフィルタ及び短波長カットフィルタを組み合わせて特定波長域の光を低減するので、特定波長域に隣接する波長域の光には大きな影響を与えずに特定波長域の光を低減することができる。【選択図】図４
2013219026.tif 000002
【特許請求の範囲】
【請求項１】
互いに異なる色の光を発する第１の発光体及び第２の発光体を備えた発光装置であって、
前記第１の発光体は、任意に設定された第１の波長域の光を出射する第１の光源と、前記第１の波長域において長波長側に設定された第１の設定波長よりも長波長側の光をカットする長波長カットフィルタと、を有し、
前記第２の発光体は、前記第１の波長域と重複して該第１の波長域よりも長波長側まで広がる第２の波長域の光を出射する第２の光源と、前記第２の波長域において前記第１の設定波長より長波長側に設定された第２の設定波長よりも短波長側の光をカットする短波長カットフィルタと、を有し、
前記第１の発光体及び第２の発光体の各々から出射された光は、互いに混ざり合って前記第１の設定波長と第２の設定波長との間の光が低減された光となって外部に出射されることを特徴とする発光装置。
【請求項２】
前記第１の光源及び第２の光源は、それぞれ固体発光素子と、前記固体発光素子から出射される光を波長変換して出射する蛍光体と、を有することを特徴とする請求項１に記載の発光装置。
【請求項３】
前記第１の波長域は、波長域４２０〜６５０ｎｍとされ、
前記第２の波長域は、波長域４２０〜８００ｎｍとされ、
前記長波長カットフィルタにおける第１の設定波長は、５６０ｎｍとされ、
前記短波長カットフィルタにおける第２の設定波長は、６２０ｎｍとされることを特徴とする請求項１又は請求項２に記載の発光装置。
【請求項４】
前記第１の波長域は、波長域３００〜５５０ｎｍとされ、
前記第２の波長域は、波長域３００〜８００ｎｍとされ、
前記長波長カットフィルタにおける第１の設定波長は、４８０ｎｍとされ、
前記短波長カットフィルタにおける第２の設定波長は、５１０ｎｍとされることを特徴とする請求項１又は請求項２に記載の発光装置。
【請求項５】
前記第１の波長域は、波長域３００〜５５０ｎｍとされ、
前記第２の波長域は、波長域３００〜８００ｎｍとされ、
前記長波長カットフィルタにおける第１の設定波長は、４７０ｎｍとされ、
前記短波長カットフィルタにおける第２の設定波長は、５００ｎｍとされることを特徴とする請求項１又は請求項２に記載の発光装置。
【請求項６】
請求項１乃至請求項５のいずれか一項に記載の発光装置を用いたことを特徴とする照明装置。
【請求項７】
請求項１乃至請求項５のいずれか一項に記載の発光装置を用いたことを特徴とする照明器具。
【請求項８】
請求項６に記載の照明装置を用いたことを特徴とする照明器具。
【発明の詳細な説明】
【技術分野】
【０００１】
本発明は、特定波長域の光が低減された光を出射する発光装置、この発光装置を用いた照明装置、及びこの照明装置又は発光装置を用いた照明器具に関する。
【背景技術】
【０００２】
従来から店舗用照明など演出効果が重要視される分野において、被照射体を鮮明に演出するために該被照射体に特定波長域の光が低減された光を照射する照明器具が知られている。特定波長域の光の低減は、例えば、照明器具の光源に特定波長域の光を低減するバンドフィルタを装着することで行われる。
【０００３】
このようなバンドフィルタの一例として、５００〜６００ｎｍの波長域に光透過率の極小値を有するものが知られている（例えば、特許文献１参照）。このバンドフィルタは、５００〜６００ｎｍの波長域における光透過率が４０〜９５％で、この波長域に隣接する４００〜５００ｎｍ及び６００〜７００ｎｍの波長域における平均光透過率がそれぞれ７０％となっている。
【０００４】
ところで、上記のようなバンドフィルタとは別に、波長制御用の光学部材として、特定波長よりも長波長の光を低減する長波長カットフィルタや、特定波長よりも短波長の光を低減する短波長カットフィルタがある。これら長波長カットフィルタ及び短波長カットフィルタは、一般的なバンドフィルタに比べて、より特異的に特定波長域の光を低減して、特定波長域に隣接する波長域の光の透過には影響を与え難いことが知られている。
【先行技術文献】
【特許文献】
【０００５】
【特許文献１】特開２００１−６６４２１号公報
【発明の概要】
【発明が解決しようとする課題】
【０００６】
しかしながら、上記特許文献１に記載のフィルタを用いて特定波長域の光の低減を図った照明器具では、特定波長域の光だけでなく特定波長域に隣接する波長域の光も多く低減されるので、必要な光まで低減されて十分な演出効果を得ることができない虞がある。
【０００７】
本発明は、上記課題を解決するものであって、特定波長域に隣接する波長域の光には大きな影響を与えずに特定波長域の光を低減した光を出射することができる発光装置を提供することを目的とする。
【課題を解決するための手段】
【０００８】
本発明の発光装置は、互いに異なる色の光を発する第１の発光体及び第２の発光体を備え、前記第１の発光体は、任意に設定された第１の波長域の光を出射する第１の光源と、前記第１の波長域において長波長側に設定された第１の設定波長よりも長波長側の光をカットする長波長カットフィルタと、を有し、前記第２の発光体は、前記第１の波長域と重複して該第１の波長域よりも長波長側まで広がる第２の波長域の光を出射する第２の光源と、前記第２の波長域において前記第１の設定波長より長波長側に設定された第２の設定波長よりも短波長側の光をカットする短波長カットフィルタと、を有し、前記第１の発光体及び第２の発光体の各々から出射された光は、互いに混ざり合って前記第１の設定波長と第２の設定波長との間の光が低減された光となって外部に出射されることを特徴とする。
【０００９】
前記第１の光源及び第２の光源は、それぞれ固体発光素子と、前記固体発光素子から出射される光を波長変換して出射する蛍光体と、を有することが好ましい。
【００１０】
一つの実施形態においては、前記第１の波長域は波長域４２０〜６５０ｎｍとされ、前記第２の波長域は波長域４２０〜８００ｎｍとされ、前記長波長カットフィルタにおける第１の設定波長は５６０ｎｍとされ、前記短波長カットフィルタにおける第２の設定波長は６２０ｎｍとされることが好ましい。
【００１１】
他の実施形態においては、前記第１の波長域は波長域３００〜５５０ｎｍとされ、前記第２の波長域は波長域３００〜８００ｎｍとされ、前記長波長カットフィルタにおける第１の設定波長は４８０ｎｍとされ、前記短波長カットフィルタにおける第２の設定波長は５１０ｎｍとされることが好ましい。
【００１２】
更に他の実施形態においては、前記第１の波長域は波長域３００〜５５０ｎｍとされ、前記第２の波長域は波長域３００〜８００ｎｍとされ、前記長波長カットフィルタにおける第１の設定波長は４７０ｎｍとされ、前記短波長カットフィルタにおける第２の設定波長は５００ｎｍとされることが好ましい。
【００１３】
本発明の照明装置は、上記発光装置を備えることを特徴とする。
【００１４】
本発明の照明器具は、上記発光装置を備えることを特徴とする。
【００１５】
本発明の照明器具は、上記照明装置を備えることを特徴とする。
【発明の効果】
【００１６】
本発明によれば、第１の波長域に出射される第１の光源からの光のうち、第１の設定波長よりも長波長側の光を長波長カットフィルタによりカットする。また、第１の波長域と重複して該第１の波長域よりも長波長側まで広がる第２の波長域に出射される第２の光源からの光のうち、第１の設定波長より長波長側に設定された第２の設定波長よりも短波長側の光を短波長カットフィルタによりカットする。これにより、特定波長域に隣接する波長域の光には大きな影響を与えずに、特定波長域の光を低減することができる。
【図面の簡単な説明】
【００１７】
【図１】本発明の実施形態に係る発光装置を備えた照明装置の分解斜視図。
【図２】上記発光装置を構成する第１の発光体の側断面図。
【図３】上記発光装置を構成する第２の発光体の側断面図。
【図４】（ａ）は第１の発光体から出射される光のスペクトル例を示す図、（ｂ）は第２の発光体から出射される光のスペクトル例を示す図、（ｃ）は（ａ）の第１の発光体から出射された光と（ｂ）の第２の発光体から出射された光とが混合された光のスペクトルを示す図。
【図５】（ａ）は実施例１において第１の発光体から出射される光のスペクトルを示す図、（ｂ）は同実施例において第２の発光体から出射される光のスペクトルを示す図、（ｃ）は（ａ）の第１の発光体から出射された光と（ｂ）の第２の発光体から出射された光とが混合された光のスペクトルを示す図。
【図６】食用生肉の分光反射率を示す図。
【図７】（ａ）は実施例２において第１の発光体から出射される光のスペクトルを示す図、（ｂ）は同実施例において第２の発光体から出射される光のスペクトルを示す図、（ｃ）は（ａ）の第１の発光体から出射された光と（ｂ）の第２の発光体から出射された光とが混合された光のスペクトルを示す図。
【図８】（ａ）は実施例３において第１の発光体から出射される光のスペクトルを示す図、（ｂ）は同実施例において第２の発光体から出射される光のスペクトルを示す図、（ｃ）は（ａ）の第１の発光体から出射された光と（ｂ）の第２の発光体から出射された光とが混合された光のスペクトルを示す図。
【図９】昆虫の走光性視感度曲線を示す図。
【図１０】（ａ）は実施例４において第１の発光体から出射される光のスペクトルを示す図、（ｂ）は同実施例において第２の発光体から出射される光のスペクトルを示す図、（ｃ）は（ａ）の第１の発光体から出射された光と（ｂ）の第２の発光体から出射された光とが混合された光のスペクトルを示す図。
【図１１】（ａ）は上記発光装置を用いた別の照明装置の断面図、（ｂ）は同発光装置を用いた更に別の照明装置の分解斜視図。
【図１２】（ａ）は上記照明装置を用いた照明器具の断面図、（ｂ）は発光装置を用いた照明器具の斜視図。
【発明を実施するための形態】
【００１８】
本発明の実施形態に係る発光装置及びこの発光装置を用いた照明装置について図１乃至図４を参照して説明する。図１に示すように、発光装置１は、照明装置１０の一部を構成し、照明装置１０の光源として機能する。照明装置１０は、発光装置１を収容する筐体２と、発光装置１から発せられた光を拡散して外部に出射する拡散板３と、を備える。
【００１９】
発光装置１は、複数の第１の発光体４と、複数の第２の発光体５と、これら第１の発光体４及び第２の発光体５を一面に実装する配線基板６と、を有する。第１の発光体４及び第２の発光体５は、それぞれ一様に配線基板６の一面に配置されている。
【００２０】
配線基板６は、円板形状とされ、第１の発光体４及び第２の発光体５の各々と電気的に接続された配線パターン（不図示）を有する。これら配線パターンは、それぞれ第１の発光体４及び第２の発光体５を点灯制御する外部の駆動回路（不図示）と配電線（不図示）により接続されている。この駆動回路は、第１の発光体４及び第２の発光体５を個別に点灯制御できるように構成されている。また、配線基板６は、その第１の発光体４及び第２の発光体５を実装する面に高い光反射率を有する材料、例えば、銀やアルミニウムにより構成された薄膜を有する。このような薄膜は、拡散板３で拡散されて照明装置１０の内部方向に戻ってきた光を外部に向けて反射することで、照明装置１０の光利用効率を向上する。
【００２１】
筐体２は、有底円筒形状とされ、その内側の底面に発光装置１が取り付けられる。筐体２の発光装置１が取り付けられる面とは反対側の面には、筐体２を天井や支持体に固定するための保持部材（不図示）が設けられている。筐体２は、この保持部材を介して所定位置に固定される。筐体２は、放熱性及び光反射性に富んだ材料、例えば、アルミニウムにより構成される。
【００２２】
拡散板３は、筐体２とほぼ同じ直径の円板形状とされ、筐体２の上端部に取り付けられる。拡散板３は、５０％以下の直線透過率を有する材料により構成され、第１の発光体４及び第２の発光体５の各々から出射された光を種々の方向に拡散することで互いに混合する。拡散板３は、例えば、透明アクリル樹脂や透明ガラス等の透明材料を母材として構成され、その内部に光を拡散する拡散材を含む。拡散材は、例えば、酸化アルミニウムやシリカ等の無機材料又はフッ素系樹脂等の有機材料から成る粒体（平均粒径１μｍ）により構成される。また、拡散板３は、その表面又は裏面の少なくとも一方にフロスト加工によって形成された凹凸を有していてもよい。
【００２３】
図２に示すように、第１の発光体４は、任意に設定された第１の波長域の光を出射する第１の光源４１と、第１の光源４１を収容する基台７と、第１の光源４１からの光が入射する面に設けられた長波長カットフィルタ４２と、を有する。第１の発光体４は、例えば、青色光や緑色光といった比較的短波長の可視光を出射することが好ましい。
【００２４】
第１の光源４１は、固体発光素子４３（以下、ＬＥＤ４３という）と、ＬＥＤ４３を封止する封止材８と、封止材８中に分散されＬＥＤ４３からの光を波長変換して出射する蛍光体４４と、を有する。ＬＥＤ４３は、所望のＬＥＤ、例えば、青色光を出射する青色ＬＥＤや紫外光を出射する紫外ＬＥＤにより構成される。
【００２５】
封止材８は、ＬＥＤ４３からの光を透過する透明材料、例えば、透明シリコーン樹脂、透明エポキシ樹脂、又は透明ガラスにより構成される。封止材８は、好ましくは、光を拡散する拡散材を含む。この拡散材は、例えば、上記の拡散板３に含まれるものと同様のものにより構成される。
【００２６】
蛍光体４４は、所望の蛍光体、例えば、青色ＬＥＤからの青色光を緑色光に波長変換する緑色蛍光体や紫外ＬＥＤからの紫外光を青色光に波長変換する青色蛍光体により構成される。蛍光体４４は、複数種類の蛍光体により構成され、これらが互いに混合されて封止材８中に分散されていてもよい。
【００２７】
基台７は、中央に凹部を有する形状とされ、その底面にＬＥＤ４３が配置されている。基台７の底面には、ＬＥＤ４３への通電を担う導電路が設けられている。この導電路の一端はＬＥＤ４３に接続され、他端は基台７の外側へ導出されている。外側に導出された導電路は、配線基板６の配線パターンに接続される。基台７の内面には、高い光反射率を有する材料、例えば、銀やアルミニウムにより構成された薄膜が設けられている。このような薄膜は、ＬＥＤ４３からその側方に出射された光や蛍光体４４で拡散されて第１の発光体４の内部方向に戻ってきた光を外部に向けて反射することで、第１の発光体４の光利用効率を向上する。基台７は、熱伝導性及び耐熱性に優れた材料、例えば、アルミニウムやセラミックにより構成される。
【００２８】
長波長カットフィルタ４２は、無色透明な矩形平板状とされ、第１の光源４１に対向して基台７の上端部に固定されている。長波長カットフィルタ４２は、第１の光源４１から出射された光のうち、特定波長よりも長波長の光をカットして外部に出射されないようにする。長波長カットフィルタ４２は、例えば、ガラスやセラミックや樹脂等の母材に特定波長の光を吸収する物質を分散させた吸収型フィルタや、同母材に特定波長の光を反射する金属薄膜又は誘電体薄膜を積層した反射型フィルタにより構成される。
【００２９】
図３に示すように、第２の発光体５は、上記の第１の発光体４と同様に構成されている。第２の発光体５は、第１の波長域と重複して第１の波長域よりも長波長側まで広がる第２の波長域の光を出射する第２の光源５１と、第２の光源５１を収容する基台７と、第２の光源５１からの光が入射する面に設けられた短波長カットフィルタ５２と、を有する。第２の発光体５は、第１の発光体４とは異なる色の光を発する。第２の発光体５は、例えば、赤色光や黄色光といった比較的長波長の可視光を出射することが好ましい。
【００３０】
第２の光源５１は、封止材８により封止されたＬＥＤ５３と、封止材８中に分散されＬＥＤ５３からの光を波長変換して出射する蛍光体５４と、を有する。ＬＥＤ５３は、第１の光源４１を構成するＬＥＤ４３と同様のものにより構成される。蛍光体５４は、所望の蛍光体、例えば、ＬＥＤ５３からの光を赤色光に波長変換する赤色蛍光体により構成される。
【００３１】
上記のように構成された第１の発光体４及び第２の発光体５から出射される光の分光特性の一例について図４（ａ）乃至（ｃ）を参照して説明する。図４（ａ）に示すように、本例では、第１の光源４１は、ＬＥＤ４３として青色ＬＥＤと、蛍光体４４として該青色ＬＥＤからの青色光を緑〜黄色光に変換する緑〜黄色蛍光体と、を有する。第１の光源４１からの光が出射される第１の波長域は、略４２０〜６５０ｎｍとされている。長波長カットフィルタ４２は、第１の光源４１から出射された光のうち、第１の波長域において長波長側に設定された第１の設定波長よりも長波長側の光をカットする。ここでは、第１の設定波長は、略５７０ｎｍとされている。
【００３２】
第１の光源４１から出射される光（スペクトルを破線で示す）は、青色ＬＥＤからの青色光と、緑〜黄色蛍光体からの緑〜黄色光と、を含む。長波長カットフィルタ４２は、波長略５７０ｎｍよりも長波長側（ドットで示す領域）の光をカットして、第１の光源４１から出射された光より黄色光の一部を低減する。これにより、第１の発光体４から出射される光（スペクトルを実線で示す）は、主に青色光、緑色光及び一部の黄色光を含む光となる。
【００３３】
図４（ｂ）に示すように、第２の光源５１は、ＬＥＤ５３として青色ＬＥＤと、蛍光体５４として該青色ＬＥＤからの青色光を黄〜赤色光に変換する黄〜赤色蛍光体と、を有する。第２の光源５１からの光が出射される第２の波長域は、略４２０〜８００ｎｍとされている。短波長カットフィルタ５２は、第２の光源５１から出射された光のうち、第２の波長域において第１の設定波長より長波長側に設定された第２の設定波長よりも短波長側の光をカットする。ここでは、第２の設定波長は、略６００ｎｍとされている。
【００３４】
第２の光源５１から出射される光（スペクトルを破線で示す）は、青色ＬＥＤからの青色光と、黄〜赤色蛍光体からの黄〜赤色光とを含む。短波長カットフィルタ５２は、波長略６００ｎｍよりも短波長側（ドットで示す領域）の光をカットして、第２の光源５１から出射された光より黄色光の一部及び青色光を低減する。これにより、第２の発光体５から出射される光（スペクトルを実線で示す）は、主に赤色光及び一部の黄色光を含む光となる。
【００３５】
図４（ｃ）に示すように、第１の発光体４から出射された光と第２の発光体５から出射された光とが混合された光は、第１の発光体４からの青色光及び緑色光と、第２の発光体５からの赤色光とを含み、これらの光が互いに混色することで白色を呈する。この白色光では、第１の設定波長（略５７０ｎｍ）と第２の設定波長（略６００ｎｍ）との間の黄色光の一部が特異的に低減されている。この黄色光の低減は、略５７０ｎｍ〜６００ｎｍの波長域で顕著に起こり、この波長域から２０〜３０ｎｍ離れた波長の光は殆ど低減されていない。
【００３６】
本実施形態の照明装置によれば、一般的なバンドフィルタよりも特異的に特定波長域の光を低減する長波長カットフィルタ４２及び短波長カットフィルタ５１を組み合わせて特定波長域の光を低減する。第１の波長域に出射される第１の光源４１からの光のうち、第１の設定波長よりも長波長側の光を長波長カットフィルタ４２によりカットする。また、第１の波長域と重複して該第１の波長域よりも長波長側まで広がる第２の波長域に出射される第２の光源５１からの光のうち、第１の設定波長より長波長側に設定された第２の設定波長よりも短波長側の光を短波長カットフィルタ５２によりカットする。これにより、特定波長域に隣接する波長域の光には大きな影響を与えずに、特定波長域の光を低減することができる。光を低減する波長域は、長波長カットフィルタ４２及び短波長カットフィルタ５１の組み合わせを変えることで任意に変更可能である。
【００３７】
（実施例１）
次に、本発明の実施例１に係る照明装置について図５（ａ）乃至（ｃ）を参照して説明する。本実施例では、図５（ａ）に示すように、第１の光源４１は、ＬＥＤ４３として青色ＬＥＤと、蛍光体４４として該青色ＬＥＤからの青色光を主に緑色光に変換する緑色蛍光体と、を有する。長波長カットフィルタ４２の第１の設定波長は、略５６０ｎｍとされている。第１の光源４１から出射される光（スペクトルを破線で示す）は、略４２０〜６５０ｎｍに第１の波長域を有し、青色ＬＥＤからの青色光と緑色蛍光体からの若干の黄色光が混ざった緑色光とを含む。長波長カットフィルタ４２は、波長略５６０ｎｍよりも長波長側（ドットで示す領域）の光をカットして、第１の光源４１から出射された光より黄色光を低減する。これにより、第１の発光体４から出射される光（スペクトルを実線で示す）は、主に青色光及び緑色光を含む光となる。
【００３８】
図５（ｂ）に示すように、第２の光源５１は、ＬＥＤ５３として青色ＬＥＤと、蛍光体５４として該青色ＬＥＤからの青色光を主に赤色光に変換する赤色蛍光体と、を有する。短波長カットフィルタ５２の第２の設定波長は、略６２０ｎｍとされている。第２の光源５１から出射される光（スペクトルを破線で示す）は、略４２０〜８００ｎｍに第２の波長域を有し、青色ＬＥＤからの青色光と赤色蛍光体からの若干の黄色光が混ざった赤色光とを含む。短波長カットフィルタ５２は、波長略６２０ｎｍよりも短波長側（ドットで示す領域）の光をカットして、第２の光源５１から出射された光より黄色光と青色光を低減する。これにより、第２の発光体５から出射される光（スペクトルを実線で示す）は、主に赤色光を含む光となる。
【００３９】
図５（ｃ）に示すように、第１の発光体４から出射された光と第２の発光体５から出射された光とが混合された光は、第１の発光体４からの青色光及び緑色光と、第２の発光体５からの赤色光とを含み、これらの光が互いに混色することで白色を呈する。この白色光では、波長域略５６０〜６２０ｎｍの黄色光が特異的に低減されている。
【００４０】
本実施例の照明装置によれば、赤色光を含み、かつ黄色光が低減された白色光を照射することができる。ここで、図６に示すように、赤色光は生肉により効率良く反射されるので、このような赤色光を含む光で生肉を照明すると、生肉がキラキラ光って鮮やかに見えることが知られている。また、生肉に黄色光を照射すると、生肉がくすんだ色に見えることも知られている。従って、本実施例の照明装置は、肉屋やスーパーマーケット等において生肉を照明するのに好適に用いることができる。
【００４１】
（実施例２）
次に、本発明の実施例２に係る照明装置について図７（ａ）乃至（ｃ）を参照して説明する。本実施例では、図７（ａ）に示すように、第１の光源４１は、ＬＥＤ４３として紫外ＬＥＤと、蛍光体４４として該紫外ＬＥＤからの紫外光を青色光に変換する青色蛍光体と、を有する。長波長カットフィルタ４２の第１の設定波長は、略４８０ｎｍとされている。第１の光源４１から出射される光（スペクトルを破線で示す）は、略３００〜５５０ｎｍに第１の波長域を有し、紫外ＬＥＤからの紫外光と青色蛍光体からの若干の緑色光が混ざった青色光とを含む。長波長カットフィルタ４２は、波長略４８０ｎｍよりも長波長側（ドットで示す領域）の光をカットして、第１の光源４１から出射された光より緑色光を低減する。これにより、第１の発光体４から出射される光（スペクトルを実線で示す）は、主に紫外光及び青色光を含む光となる。
【００４２】
図７（ｂ）に示すように、第２の光源５１は、ＬＥＤ５３として紫外ＬＥＤと、蛍光体５４として該紫外ＬＥＤからの紫外光を緑色光に変換する緑色蛍光体及び同紫外光を赤色光に変換する赤色蛍光体と、を有する。短波長カットフィルタ５２の第２の設定波長は、略５１０ｎｍとされている。第２の光源５１から出射される光（スペクトルを破線で示す）は、略３００〜８００ｎｍに第２の波長域を有し、紫外ＬＥＤからの紫外光と、緑色蛍光体からの若干の青色光が混ざった緑色光と、赤色蛍光体からの赤色光と、を含む。短波長カットフィルタ５２は、波長略５１０ｎｍよりも短波長側（ドットで示す領域）の光をカットして、第２の光源５１から出射された光より紫外光、青色光及び一部の緑色光を低減する。これにより、第２の発光体５から出射される光（スペクトルを実線で示す）は、主に緑色光と赤色光とを含む光となる。
【００４３】
図７（ｃ）に示すように、第１の発光体４から出射された光と第２の発光体５から出射された光とが混合された光は、第１の発光体４からの紫外光及び青色光と、第２の発光体５からの緑色光及び赤色光とを含み、これらの光が互いに混色することで白色を呈する。この白色光では、波長域略４８０〜５１０ｎｍの青緑色光が特異的に低減されている。
【００４４】
本実施例の照明装置によれば、青緑色光が低減された白色光を照射することができるので、被照射体を自然な光で照明しつつ、被照射体の青色と緑色とのコントラストを明確にすることができる。このような照明装置は、例えば、室内用の照明装置として用いることができる。なお、第１の発光体４からの紫外光が照明装置の外部に漏れないようにするには、拡散板３の表面等に紫外光をカットする紫外光フィルタを別途設ける、又は紫外線吸収剤を含有したグローブを照明装置に装着すればよい。これにより、一般の室内用の照明に適した照明光を出射することができる。
【００４５】
（実施例３）
次に、本発明の実施例３に係る照明装置について図８（ａ）乃至（ｃ）を参照して説明する。本実施例では、図８（ａ）に示すように、第１の光源４１は、ＬＥＤ４３として紫外ＬＥＤと、蛍光体４４として該紫外ＬＥＤからの紫外光を青色光に変換する青色蛍光体と、を有する。長波長カットフィルタ４２の第１の設定波長は、略４７０ｎｍとされている。第１の光源４１から出射される光（スペクトルを破線で示す）は、略３００〜５５０ｎｍに第１の波長域を有し、紫外ＬＥＤからの紫外光と青色蛍光体からの若干の緑色光が混ざった青色光とを含む。長波長カットフィルタ４２は、波長略４７０ｎｍよりも長波長側（ドットで示す領域）の光をカットして、第１の光源４１から出射された光より青色光の一部と緑色光とを低減する。これにより、第１の発光体４から出射される光（スペクトルを実線で示す）は、主に紫外光及び青色光を含む光となる。
【００４６】
図８（ｂ）に示すように、第２の光源５１は、ＬＥＤ５３として紫外ＬＥＤと、蛍光体５４として該紫外ＬＥＤからの紫外光を青〜赤色光に変換する青〜赤色蛍光体と、を有する。短波長カットフィルタ５２の第２の設定波長は、略５００ｎｍとされている。第２の光源５１から出射される光（スペクトルを破線で示す）は、略３００〜８００ｎｍに第２の波長域を有し、紫外ＬＥＤからの紫外光と青〜赤色蛍光体からの青〜赤色光と、を含む。短波長カットフィルタ５２は、波長略５００ｎｍよりも短波長側（ドットで示す領域）の光をカットして、第２の光源５１から出射された光より紫外光、青色光及び一部の緑色光を低減する。これにより、第２の発光体５から出射される光（スペクトルを実線で示す）は、主に緑〜赤色光を含む光となる。ここで、この緑〜赤色光のエネルギが第１の発光体４から出射される青色光のエネルギの略１．７倍以上になるように、第１の発光体４及び第２の発光体５の各発光強度が調整されている。
【００４７】
図８（ｃ）に示すように、第１の発光体４から出射された光と第２の発光体５から出射された光とが混合された光は、第１の発光体４からの紫外光及び青色光と、第２の発光体５からの緑〜赤色光と、を含み、これらの光が互いに混色することで白色を呈する。この白色光は、緑〜赤色光のエネルギが青色光のエネルギよりも高くなっているので、暖かみのある電球色の白色光となる。この白色光では、波長域略４７０〜５００ｎｍの青緑色光が特異的に低減されている。
【００４８】
本実施例の照明装置によれば、波長域略４７０ｎｍ〜５００ｎｍの青緑色光が低減され、青色光成分よりも緑〜赤色光成分に富んだ白色光を照射することができる。ここで、図９に示すように、波長域略４７０〜５００ｎｍ（ドットで示す領域）の青緑色光は、可視光波長域の中では比較的高い昆虫走光性を持つことが知られている。また、青色光波長域の光は、緑〜赤色光波長域の光よりも高い昆虫走光性を持つことが知られている。従って、本実施例の照明装置を用いれば、昆虫を寄せ付け難い白色光を照射することができる。このような照明装置は、例えば、室内用照明装置として用いたり、植物を育成する圃場に設けたりすることができる。
【００４９】
（実施例４）
次に、本発明の実施例４に係る照明装置について図１０（ａ）乃至（ｃ）を参照して説明する。本実施例では、図１０（ａ）に示すように、第１の光源４１は、ＬＥＤ４３として紫外ＬＥＤと、蛍光体４４として該紫外ＬＥＤからの紫外光を青色光に変換する青色蛍光体と、を有する。長波長カットフィルタ４２の第１の設定波長は、略４９０ｎｍとされている。第１の光源４１から出射される光（スペクトルを破線で示す）は、略３００〜６００ｎｍに第１の波長域を有し、紫外ＬＥＤからの紫外光と青色蛍光体からの若干の緑色光が混ざった青色光とを含む。長波長カットフィルタ４２は、波長略４９０ｎｍよりも長波長側（ドットで示す領域）の光をカットして、第１の光源４１から出射された光より緑色光を低減する。これにより、第１の発光体４から出射される光（スペクトルを実線で示す）は、主に紫外光及び青色光を含む光となる。
【００５０】
図１０（ｂ）に示すように、第２の光源５１は、ＬＥＤ５３として紫外ＬＥＤと、蛍光体５４として該紫外ＬＥＤからの紫外光を黄色光に変換する黄色蛍光体と、を有する。短波長カットフィルタ５２の第２の設定波長は、略５６０ｎｍとされている。第２の光源５１から出射される光（スペクトルを破線で示す）は、略３００〜７００ｎｍに第２の波長域を有し、紫外ＬＥＤからの紫外光と黄色蛍光体からの若干の緑色光が混ざった黄色光とを含む。短波長カットフィルタ５２は、波長略５６０ｎｍよりも短波長側（ドットで示す領域）の光をカットして、第２の光源５１から出射された光より紫外光及び緑色光を低減する。これにより、第２の発光体５から出射される光（スペクトルを実線で示す）は、主に黄色光を含む光となる。
【００５１】
図１０（ｃ）に示すように、第１の発光体４から出射された光と第２の発光体５から出射された光とが混合された光は、第１の発光体４からの紫外光及び青色光と、第２の発光体５からの黄色光とを含み、これらの光が互いに混色することで白色を呈する。この白色光では、波長域略４９０〜５６０ｎｍの緑色光が特異的に低減されている。ここで、第１の光源４１は、第２の光源５１とは別に点灯制御されるように構成されている。
【００５２】
本実施例の照明装置によれば、第１の光源４１と第２の光源５１とを個別に点灯制御できるので、第１の発光体４からの青色光と第２の発光体５からの黄色光とを任意の割合で混色させて、白色光の色温度を可変とすることができる。ここで、青色光は、明るい場所では黒ずんで見え、逆に、暗い場所では鮮やかに見える（プルキニェ現象）。そこで、例えば、本実施例の照明装置を街灯として用いた場合に、日照の減少に伴って青色光が増えるように設定しておけば、日照の減少した時間帯においても被照射体の視認性を高めることができる。
【００５３】
次に、上述した発光装置１を用いた別の照明装置について図１１（ａ）を参照して説明する。照明装置１１は、発光装置１を光源とする電球型の照明装置である。照明装置１１は、電球ソケット（不図示）に装着される口金６１と、口金６１と電気的に接続され発光装置１を駆動制御するための電源回路ユニット６２と、電源回路ユニット６２と発光装置１とを互いに接続する配電線６３と、を有する。また、照明装置１１は、発光装置１を保持するホルダ２１と、ホルダ２１を保持するハウジング２２と、ハウジング２２に固定され発光装置１の光出射側を被覆する透光性のカバー３１と、を備える。
【００５４】
ホルダ２１及びハウジング２２は、共に優れた熱伝導性を持つ材料、例えば、アルミニウムにより構成され、発光装置１の発光に伴って生じた熱は、ホルダ２１及びハウジング２２を介して外部へ放熱される。カバー３１は、略ドーム状とされ、その内部に発光装置１を収納するようにしてハウジング２２に接着材で固定されている。カバー３１は、例えば、透明プラスチック樹脂や透明ガラスにより構成される。なお、カバー３１は、その表面又は裏面の少なくとも一方の面にフロスト加工やサンドブラスト処理によって形成された光拡散面を有していてもよいし、二酸化チタン等の光を拡散する光拡散剤を内含していてもよい。
【００５５】
上記の照明装置１１によれば、口金６１を介して電球ソケットに装着することができるので、他の電球型照明装置との互換性を確保した照明装置を得ることができる。
【００５６】
次に、発光装置１を用いた更に別の照明装置について図１１（ｂ）を参照して説明する。照明装置１２は、２つの発光装置１ａ、１ｂを光源とする直管型の照明装置である。発光装置１ａ、１ｂの各々は、直線状且つ交互に配置された第１の発光体４及び第２の発光体５を有する長尺形状とされ、これら発光体４、５が連なる方向と直交する方向において互いに隣接した状態でホルダ２１により保持されている。また、照明装置１２は、ホルダ２１を収納する長尺円筒状のカバー３１と、カバー３１の両端部各々に取り付けられ発光装置１ａ、１ｂの各々と電気的に接続された一対の口金６１ａ、６１ｂと、を備える。なお、カバー３１の形状は、円筒形状に限定されず、例えば、四角筒形状とされてもよい。
【００５７】
上記の照明装置１２によれば、一対の口金６１ａ、６１ｂを介して直管型照明装置に用いられるソケットに装着することができるので、他の直管型照明装置との互換性を確保した照明装置を得ることができる。
【００５８】
次に、上述した照明装置１０を用いた照明器具について図１２（ａ）を参照して説明する。照明器具１３は、天井Ｃに設けられた穴Ｈ取り付けられ、照明装置１０からの光を下方に照射するダウンライトである。照明器具１３は、照明装置１０を保持するハウジング２２と、照明装置１０を駆動制御するための電源回路ユニット６２と、電源回路ユニット６２の動作を制御するためにユーザからの入力を受け付ける操作部６４と、を備える。ハウジング２２は、照明装置１０を着脱可能に保持する保持構造２３を有し、照明装置１０は、この保持構造２３を介して電源回路ユニット６２と電気的に接続される。操作部６４は、ユーザが照明装置１０を調光制御するときに用いられるダイヤル６４ａと、現在の調光状況を表示する表示部６４ｂと、を有し、照明器具１３が設けられた部屋の壁面等に取り付けられている。なお、図例では、操作部６４が電源回路ユニット６２と操作線６５により有線接続された構成を示しているが、操作部６４は、電源回路ユニット６２と無線接続された構成とされてもよい。
【００５９】
上記の照明器具１３によれば、薄型の照明装置１０を容易に着脱することができる照明器具を得ることができる。
【００６０】
次に、発光装置１を用いた照明器具について図１２（ｂ）を参照して説明する。照明器具１４は、天井に直付けされる長尺なシーリングライトである。照明器具１４において、発光装置１の第１の発光体４及び第２の発光体５は、直線状且つ交互に配置されている。照明器具１４は、発光装置１を保持するホルダ２１と、ホルダ２１を保持する長尺平板状の器具本体２４と、発光装置１の光出射側を覆うようにしてホルダ２１に取り付けられるカバー３１と、を備える。器具本体２４は、ホルダ２１を保持する面とは反対側の面を介して天井に取り付けられる。
【００６１】
上記の照明器具１４によれば、直管型照明装置を用いた照明器具を代替することができる照明器具を得ることができる。
【００６２】
なお、本発明に係る発光装置、照明装置及び照明器具は、上記実施形態及び実施例に限定されず、種々の変形が可能である。例えば、発光装置の第１の光源及び第２の光源は、それぞれ必ずしも蛍光体を有する必要はなく、ＬＥＤ（固体発光素子）からの光をそのまま出射するように構成されていてもよい。また、第１の光源及び第２の光源は、発光体としてＬＥＤ以外のもの、例えば、有機ＥＬ素子やカラー蛍光灯を有していてもよい。また、長波長カットフィルタ及び短波長カットフィルタは、必ずしも無色である必要はなく着色されていてもよい。
【符号の説明】
【００６３】
１、１ａ、１ｂ  発光装置
１０、１１、１２  照明装置
１３、１４  照明器具
４  第１の発光体
４１  第１の光源
４２  長波長カットフィルタ
４３  （第１の光源の）ＬＥＤ（固体発光素子）
４４  （第１の光源の）蛍光体
５  第２の発光体
５１  第２の光源
５２  短波長カットフィルタ
５３  （第２の光源の）ＬＥＤ（固体発光素子）
５４  （第２の光源の）蛍光体
【図１】
2013219026.tif 000003
【図２】
2013219026.tif 000004
【図３】
2013219026.tif 000005
【図４】
2013219026.tif 000006
【図５】
2013219026.tif 000007
【図６】
2013219026.tif 000008
【図７】
2013219026.tif 000009
【図８】
2013219026.tif 000010
【図９】
2013219026.tif 000011
【図１０】
2013219026.tif 000012
【図１１】
2013219026.tif 000013
【図１２】
2013219026.tif 000014